【手続補正書】
【提出日】平成16年12月1日(2004.12.1)
【手続補正１】
【補正対象書類名】明細書
【補正対象項目名】発明の名称
【補正方法】変更
【補正の内容】
【発明の名称】蛍光灯安定器の発振防止システム
【手続補正２】
【補正対象書類名】明細書
【補正対象項目名】特許請求の範囲
【補正方法】変更
【補正の内容】
【特許請求の範囲】
【請求項１】
可変導通期間と非導通期間とを有する実質的に正弦波の入力電源に基づいて蛍光灯に電力を給電するための安定器であって、
前記蛍光灯を駆動するために前記入力電源を変換する電力段と、
前記可変導通期間と非導通期間との関数として前記電力段を制御する制御回路と、
前記入力電源から電力を引き出し、制御電力を前記制御回路に供給するように動作可能な制御回路電源と、
前記入力電源の特性が所定の判断基準を満たす場合にのみ、前記安定器に前記蛍光灯に電力を送出させる監視および許容回路と、
を備えることを特徴とする安定器。
【請求項２】
前記判断基準は、前記入力電源が、前記電力段が当該入力電源に応答して実質的に非断続的に前記蛍光灯に電力を送出可能とする特性であることを特徴とする請求項１に記載の安定器。
【請求項３】
前記判断基準は、前記入力電源が、前記電力段が当該入力電源に応答して、実質的に非断続的に前記蛍光灯に電力を送出可能とするような電圧特性であることを特徴とする請求項２に記載の安定器。
【請求項４】
前記判断基準は、前記入力電源が所定値以上においてピーク電圧レベルを有することを特徴とする請求項３に記載の安定器。
【請求項５】
前記判断基準は、前記入力電源が、前記電力段が前記入力電源に応答して実質的に非断続的に前記蛍光灯に電力を送出可能とするような導通時間期間特性であることを特徴とする請求項１に記載の安定器。
【請求項６】
前記判断基準は、前記入力電源が、前記電力段が前記入力電源に応答して実質的に非断続的に前記蛍光灯に電力を送出可能とするような導通位相期間特性であることを特徴とする請求項１に記載の安定器。
【請求項７】
前記監視および許容回路は、前記入力電源の特性が所定の判断基準を満たす場合にのみ、前記制御回路電源に前記制御回路に電力を送出させるように動作可能である請求項１に記載の安定器。
【請求項８】
前記監視および許容回路は、前記入力電源の特性が所定の判断基準を満たす場合にのみ、前記制御回路電源から前記制御回路に電流を通過させるように動作可能である請求項７に記載の安定器。
【請求項９】
前記監視および許容回路は、前記入力電源の特性が所定の判断基準を満たす場合にのみ、前記入力電源から前記制御回路電源に電流を通過させるように動作可能である請求項７に記載の安定器。
【請求項１０】
前記判断基準は、前記入力電源が、前記制御回路電源が、前記電力段に実質的に非断続的に前記蛍光灯に電力を送出することを命令するように、前記制御回路に十分な電力を送出可能となるような電圧特性であることを特徴とする請求項９に記載の安定器。
【請求項１１】
前記監視および許容回路は、前記入力電源の特性が前記所定の判断基準を満たす場合にのみ、前記電力段に動作させることを特徴とする請求項１に記載の安定器。
【請求項１２】
前記判断基準は、前記入力電源が所定値以上のピーク電圧レベルを有すること特徴とする請求項１１に記載の安定器。
【請求項１３】
前記電力段は昇圧回路を含み、前記監視および許容回路は、前記入力電源の特性が前記所定の判断基準を満たす場合にのみ、前記昇圧回路に動作させることを特徴とする請求項１１に記載の安定器。
【請求項１４】
前記電力段はインバータ回路を含み、前記監視および許容回路は、前記入力電源の特性が前記所定の判断基準を満たす場合にのみ、前記インバータ回路に動作させることを特徴とする請求項１１に記載の安定器。
【請求項１５】
前記監視および許容回路は監視段および切り替え段を含み、該切り替え段は、前記入力電源の前記特性が所定の判断基準を満たすことを前記監視段が示す場合にのみ、前記安定器に前記蛍光灯に電力を送出させることを特徴とする請求項１に記載の安定器。
【請求項１６】
前記監視および許容回路は、前記入力電源の前記特性が所定の判断基準を満たす場合にのみ、前記入力電源から前記制御回路電源に電流を通過させるように動作可能であることを特徴とする請求項１５に記載の安定器。
【請求項１７】
前記電力段が前記蛍光灯に電力を供給した後にのみ、前記電力段が前記制御回路電源に電流を供給するように、前記電力段を前記制御回路電源に動作的に結合することを特徴とする請求項１５に記載の安定器。
【請求項１８】
前記電力段が前記蛍光灯に電力を供給しているとき、前記入力電源を前記制御回路電源から切断するように、前記制御回路を前記監視および許容回路に動作的に結合することを特徴とする請求項１７に記載の安定器。
【請求項１９】
前記監視段は、前記入力電源を表わす信号を受け取るように動作可能であり、前記入力電源の特性が前記所定の判断基準を満たす場合に、前記入力電源を前記制御回路電源に動作的に結合するように、前記切り替え段に対する制御を行うことを特徴とする請求項１５に記載の安定器。
【請求項２０】
前記監視段は、前記入力電源の前記特性を監視し、前記入力電源の前記特性が、前記電力段が当該入力電源に応答して実質的に非断続的に前記蛍光灯に電力を送出可能とするような場合に、前記入力電源を前記制御回路電源に結合するように、前記切り替え段に対する制御を行うことを特徴とする請求項１９に記載の安定器。
【請求項２１】
可変導通期間と非導通期間とを有する実質的に正弦波の入力電源に基づいて蛍光灯に電力を給電するための安定器であって、
前記蛍光灯を駆動するために前記入力電源を変換する電力段と、
前記電力段を制御する制御回路と、
前記入力電源から電力を引き出し、前記制御回路に制御電力を供給するように動作可能な制御回路電源と、
前記制御回路は、前記入力電源に応答して実質的に非断続的に前記電力段が前記蛍光灯に電力を送出不可能である場合、前記電力段をオフに切り替えるように動作可能であり、
前記入力電源の特性が所定の判断基準を満たす場合にのみ、前記制御回路電源に、前記入力電源から電流を引き出させるように動作可能な監視および許容回路と、
を備えることを特徴とする安定器。
【請求項２２】
前記監視および許容回路は、前記入力電源の電圧特性が、前記電力段が当該入力電源に応答して、実質的に非断続的に前記蛍光灯に電力を送出可能とするような場合に、前記制御回路電源に前記入力電源から電流を引き出させることを特徴とする請求項２１に記載の安定器。
【請求項２３】
前記監視および許容回路は、前記入力電源が所定値以上のピーク電圧レベルを有するような場合に、前記制御回路電源に前記入力電源から電流を引き出させることを特徴とする請求項２２に記載の安定器。
【請求項２４】
前記監視および許容回路は、前記入力電源の導通期間特性が、前記電力段が前記入力電源に応答して実質的に非断続的に前記蛍光灯に電力を送出可能であるような場合に、前記制御回路電源に前記入力電源から電流を引き出させることを特徴とする請求項２１に記載の安定器。
【請求項２５】
前記監視および許容回路は、前記入力電源が所定値以上の導通時間期間を有する場合に、前記制御回路電源に前記入力電源から電流を引き出させることを特徴とする請求項２４に記載の安定器。
【請求項２６】
前記監視および許容回路は、前記入力電源が所定値以上の位相導通期間を有する場合に、前記制御回路電源に前記入力電源から電流を引き出させることを特徴とする請求項２４に記載の安定器。
【請求項２７】
可変導通期間と非導通期間とを有する実質的に正弦波の入力電源に基づいて蛍光灯に電力を給電するための安定器であって、
前記蛍光灯を駆動するために前記入力電源を変換する電力段と、
前記電力段を制御する制御回路と、
前記入力電源から電力を引き出し、前記制御回路に制御電力を供給するように動作可能な制御回路電源と、
監視段および切り替え段を含み、該切り替え段は、前記入力電源の前記特性が所定の判断基準を満たすことを前記監視段が示す場合にのみ、前記安定器に前記蛍光灯に電力を送出させる監視および許容回路と、
を備えることを特徴とする安定器。
【請求項２８】
前記監視段は、前記入力電源に結合された電圧検出回路を含み、該電圧検出回路が、前記入力電源の電圧特性が前記所定の判断基準を満たす場合に、前記切り替え段が前記蛍光灯に電力を送出させるように、前記切り替え段に対する制御を行うことを特徴とする請求項２７に記載の安定器。
【請求項２９】
前記電圧検出回路は、前記入力電源のピーク電圧が所定値以上である場合に、前記切り替え段が前記蛍光灯に電力を送出させるように、前記切り替え段に対する制御を行う電圧レベル検出回路を含むことを特徴とする請求項２８に記載の安定器。
【請求項３０】
前記電圧レベル検出回路は、スレシホルド検出回路に結合された分圧回路を含み、前記スレシホルド検出回路が前記切り替え段に対する制御を行うことを特徴とする請求項２９に記載の安定器。
【請求項３１】
前記分圧回路は、抵抗分圧ネットワークを含み、前記スレシホルド検出回路はツエナー・ダイオードを含み、前記ツエナー・ダイオードは、電流を導通し、前記入力電源の前記ピーク電圧が前記所定値以上である場合に、前記切り替え段が前記蛍光灯に電力を送出させるように、前記切り替え段に対する制御を行うことを特徴とする請求項３０に記載の安定器。
【請求項３２】
前記所定値は約１１０Vであることを特徴とする請求項３１に記載の安定器。